(57)【特許請求の範囲】
【請求項１】
造営材に形成された開孔に取り付けられる照明器具であって、
光源と、
前記光源を収容する器具本体と、
前記器具本体の外側壁に取り付けられる複数の板バネとを備え、
前記複数の板バネの各々は、
前記外側壁に係止される被係止部と、
インボリュート曲線状の側面形状を有する曲線部と、
前記被係止部と前記曲線部とを結ぶ折返部と、
前記板バネの前記被係止部とは反対側の端部に設けられ、前記板バネの当該端部側の先端が前記曲線部の凸面側に折り曲げられる折曲部とを有し、
前記板バネは、前記曲線部の凹面側において前記造営材を押圧し、前記曲線部の凸面側において前記造営材を押圧しない
照明器具。
【請求項２】
前記曲線部の側面形状を示すインボリュート曲線は、角度θを媒介変数として、次の式
【数１】
0006735511.tif 000003
で表され、前記式における定数Ａは６以上、１２以下であり、かつ、定数Ｂは８以上、１６以下である
請求項１に記載の照明器具。
【請求項３】
前記式における前記角度θの始端角は０度以上、３０度以下である
請求項２に記載の照明器具。
【請求項４】
造営材に形成された開孔に器具を取り付けるための板バネであって、
前記器具に係止される被係止部と、
インボリュート曲線状の側面形状を有する曲線部と、
前記被係止部と前記曲線部とを結ぶ折返部と、
前記板バネの前記被係止部とは反対側の端部に設けられ、前記板バネの当該端部側の先端が前記曲線部の凸面側に折り曲げられる折曲部とを有し、
前記板バネは、前記曲線部の凹面側において前記造営材を押圧し、前記曲線部の凸面側において前記造営材を押圧しない
板バネ。
【発明の詳細な説明】
【技術分野】
【０００１】
本発明は、板バネを用いて造営材に取り付けられる照明器具、及び、照明器具に用いられる板バネに関する。
【背景技術】
【０００２】
従来、照明器具として、例えば、ダウンライトのように天井板等の造営材に埋め込み配設されて鉛直方向下向きに光を照射する天井埋込型の照明器具等が知られている。
【０００３】
この種の照明器具は、光源と、光源を収容する器具本体と、器具本体の外側壁に取り付けられる複数の板バネとを備える（例えば特許文献１など参照）。例えば、天井埋込型の照明器具は、複数の板バネが天井板を押圧することによって生じる反力を用いて天井板に設けられた開孔に固定される。なお、ここでいう反力とは、照明器具を天井板から取り外す方向に加えられる力の向きと反対の向きに照明器具に加わる力である。
【０００４】
特許文献１に開示された照明器具においては、複数の板バネの各々に複数の押圧部を設けることによって、板厚の異なる天井においても十分な反力を得ようとしている。
【先行技術文献】
【特許文献】
【０００５】
【特許文献１】特開２００９−２１８００７号公報
【発明の概要】
【発明が解決しようとする課題】
【０００６】
特許文献１に開示された照明器具においては、板バネによって十分な反力を得ることができる。しかしながら、特許文献１に開示された照明器具においては、天井の開孔に固定された照明器具を取り外す際に、板バネによって天井板に過大な力が加わる。このため、天井板が破損するおそれがある。
【０００７】
そこで本発明は、板バネを用いて造営材に取り付けられる照明器具であって、板厚の異なる造営材に対して十分な押圧力を加えられ、かつ、取り外し時に造営材に過大な力が加わることを抑制できる照明器具及び当該照明器具に用いられる板バネを提供することを目的とする。
【課題を解決するための手段】
【０００８】
上記目的を達成するために、本発明に係る照明器具の一態様は、光源と、前記光源を収容する器具本体と、前記器具本体の外側壁に取り付けられる複数の板バネとを備え、前記複数の板バネの各々は、前記外側壁に係止される被係止部と、インボリュート曲線状の側面形状を有する曲線部と、前記被係止部と前記曲線部とを結ぶ折返部とを有する。
【０００９】
また、上記目的を達成するために、本発明に係る板バネの一態様は、造営材に形成された開孔に器具を取り付けるための板バネであって、前記器具に係止される被係止部と、インボリュート曲線状の側面形状を有する曲線部と、前記被係止部と前記曲線部とを結ぶ折返部とを有する。
【発明の効果】
【００１０】
本発明の一態様によれば、造営材に埋め込み配設される照明器具であって、板厚の異なる造営材に対して十分な押圧力を加えられ、かつ、取り外し時に造営材に過大な力が加わることを抑制できる照明器具及び当該照明器具に用いられる板バネを提供できる。
【図面の簡単な説明】
【００１１】
【図１】図１は、実施の形態に係る照明器具の底面側の外観を示す外観斜視図である。
【図２】図２は、実施の形態に係る照明器具の断面図である。
【図３】図３は、実施の形態に係る板バネの詳細構成を示す側面図である。
【図４】図４は、実施の形態に係る板バネの折返部の構成を示す側面図である。
【図５】図５は、実施の形態に係る照明器具を造営材に設置した状態における部分断面図である。
【図６】図６は、実施の形態に係る照明器具を造営材から取り外す途中における板バネ８の状態を示す部分断面図である。
【図７】図７は、実施の形態に係る照明器具を造営材から取り外す際に板バネによって生じる反力の一例を示すグラフである。
【図８】図８は、比較例に係る板バネの構成を示す側面図である。
【図９】図９は、比較例に係る板バネを造営材から取り外す際に板バネによって生じる反力の一例を示すグラフである。
【図１０】図１０は、実施の形態の変形例１に係る板バネの構成を示す側面図である。
【図１１】図１１は、実施の形態の変形例１に係る板バネを備える照明器具を造営材から取り外す際に板バネによって生じる反力の一例を示すグラフである。
【図１２】図１２は、実施の形態の変形例２に係る板バネの構成を示す側面図である。
【図１３】図１３は、実施の形態の変形例２に係る板バネを備える照明器具を造営材から取り外す際に板バネによって生じる反力の一例を示すグラフである。
【図１４】図１４は、実施の形態の変形例３に係る板バネの構成を示す側面図である。
【図１５】図１５は、実施の形態の変形例３に係る板バネを備える照明器具を造営材から取り外す際に板バネによって生じる反力の一例を示すグラフである。
【図１６】図１６は、実施の形態の変形例４に係る板バネの構成を示す側面図である。
【図１７】図１７は、実施の形態の変形例４に係る板バネを備える照明器具を造営材から取り外す際に板バネによって生じる反力の一例を示すグラフである。
【発明を実施するための形態】
【００１２】
以下、本発明の実施の形態について、図面を参照しながら説明する。以下に説明する実施の形態は、いずれも本発明の一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図は、模式図であり、必ずしも厳密に図示されたものではない。また、各図において、実質的に同一の構成に対しては同一の符号を付しており、重複する説明は省略又は簡略化する。
【００１４】
（実施の形態）
［１．全体構成］
まず、実施の形態に係る照明器具１の全体構成について、図面を用いて説明する。
【００１５】
図１は、本実施の形態に係る照明器具１の底面側の外観を示す外観斜視図である。図２は、本実施の形態に係る照明器具１の断面図である。図２は、照明器具１の光軸Ｊを通る断面を示している。また、図２には、照明器具１が取り付けられる造営材１００も併せて示されている。
【００１６】
なお、各図において、光軸Ｊに平行な方向をＹ軸方向、光軸Ｊに垂直で互いに直交する２つの方向をＺ軸方向及びＸ軸方向としている。本実施の形態において、Ｙ軸方向は、鉛直方向である。図２は、ＸＹ平面に平行で、かつ、光軸Ｊを通る断面を示している。
【００１７】
図１及び図２に示す照明器具１は、例えば建物の天井板等の造営材に埋め込み配設されることにより下方（床や壁等）に光を照明するダウンライト等の埋込型照明器具である。
【００１８】
図１及び図２に示されるように、照明器具１は、器具本体１０と、器具本体１０の外側壁１５に取り付けられる複数の板バネ８とを備える。また、図２に示すように、照明器具１は、器具本体１０に収容される光源３０と、反射部材４０と、光学部材５０とをさらに備える。以下、照明器具１の各構成要素について説明する。
【００１９】
［１−１．器具本体］
器具本体１０は、図２に示されるように、光源３０を収容する有底筒状の部材である。器具本体１０は、凹部１６の内部に光源３０を収容する。本実施の形態では、器具本体１０は、光源取付台１８と、枠体１１とを備える。
【００２０】
光源取付台１８は、光源３０が取り付けられる取付台であり、有底筒状の器具本体１０の底部を形成する。光源取付台１８は、光源３０から発せられた熱を放散するヒートシンクとしても機能する。したがって、光源取付台１８は、金属材料等の熱伝導率の高い材料によって構成されているとよい。光源取付台１８は、例えばアルミニウムからなるアルミダイカスト製である。
【００２１】
光源取付台１８の図２における下側の面に光源３０が配置される。光源取付台１８は図２における上側に、放熱用の複数のフィン１９を有する。これにより、光源３０から発せられた熱が、複数のフィン１９に効率よく伝達される。
【００２２】
図１及び図２に示す枠体１１は、器具本体１０の凹部１６の開口部１７側に配置される筒状の部材である。枠体１１は、例えば、アルミニウムなどの金属材料によって形成することができる。
【００２３】
本実施の形態では、図２に示すように、枠体１１は、セード部１４と、鍔部１３と、外側壁１５と、複数の係止部１２とを備える。
【００２４】
セード部１４は、光源３０からの出射光の一部を反射する部分である。セード部１４は、Ｙ軸方向負側の端部に向かって内径が漸次大きくなるように構成された筒状の形状を有する。
【００２５】
鍔部１３は、照明器具１が取り付けられる天井板などの造営材１００を保持する円環状の部分である。上述のとおり、鍔部１３と複数の板バネ８とが、天井板などの造営材１００を挟持する。これにより、照明器具１を造営材１００に安定的に固定できる。
【００２６】
外側壁１５は、枠体１１の外側面を形成する壁状部材である。本実施の形態では、外側壁１５は、円筒状の形状を有する。外側壁１５の外径は、鍔部１３の外径より小さい。照明器具１が取り付けられる造営材１００には、外側壁１５の外径より大きく、鍔部１３の外径より小さい径の開孔が設けられる。造営材１００に照明器具１を取り付ける際には、当該開孔に器具本体１０が挿入される。
【００２７】
複数の係止部１２は、複数の板バネ８を係止する部材である。複数の係止部１２の各々に、一つの板バネ８が係止される。本実施の形態では、器具本体１０は、二つの係止部１２を有する。二つの係止部１２の各々には、板バネ８を挿入するための挿入孔が形成されており、当該挿入孔に板バネ８の端部（後述する被係止部８１）が差し込まれる。これにより、板バネ８が係止部１２に係止される。
【００２８】
［１−２．板バネ］
複数の板バネ８は、造営材１００に形成された開孔に照明器具１を取り付けるための弾性部材であって、器具本体１０の外側壁１５に取り付けられる。複数の板バネ８と器具本体１０の鍔部１３とが、造営材１００を挟持する。
【００２９】
本実施の形態では、照明器具１は、二つの板バネ８を備える。なお、照明器具１は、三つ以上の板バネ８を備えてもよい。二つの板バネ８の各々は、器具本体１０の外側壁１５において係止部１２によって係止される。本実施の形態では、二つの板バネ８は、それぞれ略一定の幅（図２のＺ軸方向における幅）を有する板状の部材である。板バネ８は、例えば鋼材などの金属材料で形成される。板バネ８の詳細構成については、後述する。
【００３０】
［１−３．光源］
図２に示される光源３０は、発光モジュールであって、所定の光を放射状に出射する光源である。本実施の形態では、光源３０は、ＬＥＤを有する発光モジュールである。光源３０は、例えば白色光を出射するように構成されている。光源３０は、ＣＯＢ（Ｃｈｉｐ  Ｏｎ  Ｂｏａｒｄ）型ＬＥＤで構成され、基台と、基台上に実装されたベアチップ（ＬＥＤチップ）である複数の青色ＬＥＤと、それら青色ＬＥＤを封止し、黄色蛍光体を含む封止部材とを備える。
【００３１】
光源３０に用いられる基台は、複数のＬＥＤを実装するための実装基板であって、例えばセラミックス基板、樹脂基板又は絶縁被覆されたメタルベース基板などである。また、基台は、例えば平面視において矩形状である平面を有する板材である。基台は、底面（Ｙ軸方向正側の面）を器具本体１０の光源取付台１８に向けて固定される。なお、基台には、ＬＥＤを発光させるための直流電力を外部から受電するための一対の電極端子（正電極端子及び負電極端子）が形成されている（不図示）。
【００３２】
以上のように構成される光源３０は、器具本体１０の凹部１６に収容される。本実施の形態において、光源３０は、器具本体１０の光源取付台１８の図２における下側に固定されている。
【００３３】
［１−４．反射部材］
図２に示される反射部材４０は、光源３０からの光の配光を制御する部材である。本実施の形態では、反射部材４０は、光源３０からの光を光学部材５０に向けて反射させる。
【００３４】
反射部材４０は、図２に示すように、光源３０からの光が入射される側（Ｙ軸方向正側）の端部から、当該光が出射される側の端部に向かって内径が漸次大きくなるように構成された筒状の形状を有する。反射部材４０の内面において、光源３０からの光が反射される。
【００３５】
反射部材４０は、例えばポリブチレンテレフタレート（ＰＢＴ）など硬質の白色樹脂材料を用いて形成されることができる。なお、反射部材４０は、内面にアルミニウムなどの金属膜が設けられてもよい。
【００３６】
［１−５．光学部材］
図２に示される光学部材５０は、反射部材４０からの光が入射される透光性の部材である。光学部材５０は、反射部材４０から入射した光の配光を制御して出射する機能を有してもよい。本実施の形態では、光学部材５０は円板状のフレネルレンズである。光学部材５０は、反射部材４０からの光を集光し、略円形の断面を有する光を出射する。
【００３７】
光学部材５０は、透光性材料を用いて形成されており、例えばアクリル、ポリカーボネート（ＰＣ）などの透明樹脂材料、又は、ガラス材料などの透明材料を用いて形成することができる。
【００３８】
［２．板バネの詳細構成］
本実施の形態に係る板バネ８の詳細構成について図面を用いて説明する。
【００３９】
図３は、本実施の形態に係る板バネ８の詳細構成を示す側面図である。図４は、本実施の形態に係る板バネ８の折返部８０の構成を示す側面図である。図４には、図３に示す破線枠ＩＶの内部が拡大されて示されている。
【００４０】
図３及び図４に示されるように、板バネ８は、器具本体１０の外側壁１５に係止される被係止部８１と、インボリュート曲線状の側面形状を有する曲線部８５と、被係止部８１と曲線部８５とを結ぶ折返部８０とを有する。本実施の形態では、板バネ８は、器具本体１０から遠い側の端部に折曲部８６をさらに有する。板バネ８の板厚及び幅（図３及び図４の紙面に垂直な方向の幅）は、板バネ８を形成する材料のヤング率、照明器具１の重量などに応じて、照明器具１を造営材１００に安定的に固定できるように適宜定められる。例えば、板バネ８のヤング率が１８０［ＧＰａ］以上２２０［ＧＰａ］以下程度である場合、板バネ８の板厚は、１ｍｍ程度、板バネ８の幅は、２０ｍｍ程度である。
【００４１】
被係止部８１は、板バネ８を器具本体１０に固定する部分であり、外側壁１５の係止部１２に係止される。本実施の形態では、被係止部８１の側面形状は、直線状である。
【００４２】
折返部８０は、被係止部８１と曲線部８５とを結び、１８０度程度折り返す形状を備える部分である。折返部８０の形状は、１８０度程度折り返す形状であれば特に限定されない。本実施の形態では、折返部８０は、円弧状の側面形状を有する第一円弧部８２及び第二円弧部８３と、第二円弧部８３及び曲線部８５を接続し、直線状の側面形状を有する接続部８４とを有する。図４に示す例では、第一円弧部８２の中心角θ１は２２０度、第二円弧部８３の中心角θ２は５５度である。
【００４３】
曲線部８５の側面形状を示すインボリュート曲線は、角度θを媒介変数として、次の式１で表される。
【００４４】
【数１】
0006735511.tif 000002
【００４５】
本実施の形態では、上記式１における定数Ａが６以上、１２以下であり、かつ、定数Ｂが８以上、１６以下である。
【００４６】
また、より具体的には、曲線部８５の側面形状は、インボリュート曲線のうち、角度θが始端角θａ以上、終端角θｂ以下の範囲で示される部分の形状を有する。本実施の形態では、始端角θａは、０度以上、３０度以下である。また、終端角θｂは、曲線部８５が造営材１００と干渉しないように定められる。なお、図２などに示すように、曲線部８５は、造営材１００から遠ざかる向きに凸となるように配置される。つまり、図２などにおいて、上向きに凸となるように配置される。また、曲線部８５の折返部８０寄りの端部が、インボリュート曲線の始端角θａに対応する位置である。
【００４７】
折曲部８６は、板バネ８の長手方向の端部のエッジが造営材１００を傷付けることを抑制するための部分である。照明器具１が造営材１００に適切に取り付けられた状態においては、板バネ８による造営材１００の開孔における押圧力が減少することを抑制するために、板バネ８は、長手方向の端部が造営材１００を押圧しないように設計される。しかしながら、照明器具１を、造営材１００へ取り付けるとき、及び、造営材１００から取り外すときには、照明器具１が傾いて、板バネ８の長手方向の端部が造営材１００の上面を押圧する場合がある。このような場合においても板バネ８に折曲部８６が設けられていることにより、板バネ８は、長手方向の端部のエッジでなく、折曲部８６の曲面部において造営材１００の上面に接する。このため、板バネ８の長手方向の端部のエッジが造営材１００を傷付けることを抑制できる。
【００４８】
続いて、本実施の形態に係る板バネ８の作用及び効果について図面を用いて説明する。
【００４９】
図５は、本実施の形態に係る照明器具１を造営材１００に設置した状態における部分断面図である。図６は、本実施の形態に係る照明器具１を造営材１００から取り外す途中における板バネ８の状態を示す部分断面図である。
【００５０】
照明器具１を造営材１００に設置した状態においては、図５に示すように、板バネ８の曲線部８５が造営材１００における開孔の図５における上側の端部に当接するように板バネ８の形状が設定される。具体的には、造営材１００の厚さに合わせて、折返部８０の第一円弧部８２、第二円弧部８３及び接続部８４の形状及び寸法が設定される。これにより、照明器具１を造営材１００に設置した状態において、主に曲線部８５の形状によって規定された反力を発生させることができる。
【００５１】
また、照明器具１を造営材１００から取り外す際にも、図６に示すように、板バネ８の曲線部８５が、造営材１００における開孔の図６における上側の端部に当接する。このため、照明器具１を造営材１００から取り外す時に、板バネ８によって生じる反力は、主に曲線部８５の形状によって規定される。本実施の形態に係る板バネ８においては、曲線部８５がインボリュート曲線状の側面形状を有するため、板バネ８によって生じる反力が過大となることを抑制できる。ここで、本実施の形態に係る板バネ８によって生じる反力の一例を示す。
【００５２】
図７は、本実施の形態に係る照明器具１を造営材１００から取り外す際に一つの板バネ８によって生じる反力の一例を示すグラフである。なお、図７に示す反力は、板バネ８及び造営材１００の形状などに基づいてシミュレーションによって求められた値である。また、本実施の形態に係る照明器具１では、二つの板バネ８を備えるため、照明器具１全体に加わる反力は、図７に示す反力の２倍である。本実施の形態においては、板バネ８の曲線部８５の側面形状を示すインボリュート曲線が、上記式１で表され、上記式１の定数Ａ及び定数Ｂが１２、始端角θａが０度、造営材１００の厚さが１０ｍｍである。図７には、照明器具１を設置状態から引き抜いた長さであるストローク（図６に示す長さＳｔ）と反力との関係が示されている。
【００５３】
ここで、本実施の形態に係る板バネ８の効果について、比較例と対比しながら説明する。
【００５４】
図８は、比較例に係る板バネ８００の構成を示す側面図である。なお、図８に示す板バネ８００は、上記特許文献１に開示された板バネと同様の形状を有する。
【００５５】
図９は、比較例に係る板バネ８００を造営材１００から取り外す際に板バネ８００によって生じる反力の一例を示すグラフである。図９には、本実施の形態に係る照明器具１において板バネ８に代えて比較例に係る板バネ８００を用いた場合に生じる反力の値が示される。図９においては、図７と同様に、照明器具を設置状態から引き抜いた長さであるストロークと反力との関係が示されている。
【００５６】
図８に示すように、比較例に係る板バネ８００は、本実施の形態に係る板バネ８と同様に、被係止部８０１と、折返部８１０と、曲線部８５０とを備える。一方、比較例に係る板バネ８００は、曲線部８５０において、曲線状の側面形状を有する二つの押圧部８５１及び８５２を有する。これにより、比較例に係る板バネ８００は、板厚の異なる造営材１００に対して十分な押圧力を加えることができる。しかしながら、比較例に係る板バネ８００を用いる場合には、照明器具を取り外す際に、図９に示すように、過大な反力が造営材１００に加わる。例えば、図９に示す例では、ストロークが１１ｍｍ程度において、反力が急峻に増加し、１００Ｎ以上もの反力が造営材１００に加わる。
【００５７】
一方、本実施の形態に係る板バネ８を用いる場合には、図７に示すように、ストローク０から１５ｍｍの全域にわたって十分な反力を得られ、かつ、照明器具１を取り外す際に加わる反力は、急峻に増加することなく、最大でも４０Ｎ未満に抑制される。このように、本実施の形態に係る板バネ８は、板厚の異なる造営材１００に対して十分な押圧力を加えられ、かつ、取り外し時に造営材１００に過大な力が加わることを抑制できる。したがって、本実施の形態に係る照明器具１は、板バネ８によって板厚の異なる造営材１００に安定的に固定される。また、照明器具１を造営材１００から取り外す際に、造営材１００を破損することを抑制できる。
【００５８】
［３．変形例］
以上では、本実施の形態に係る板バネ８の一例について説明したが、板バネ８の構成は、上記の構成に限定されない。以下、本実施の形態の変形例１〜４に係る板バネについて図面を用いて説明する。
【００５９】
図１０、図１２、図１４及び図１６は、それぞれ本実施の形態の変形例１〜４に係る板バネ１０８、２０８、３０８及び４０８の構成を示す側面図である。
【００６０】
図１１、図１３、図１５及び図１７は、それぞれ本実施の形態の変形例１〜４に係る板バネ１０８、２０８、３０８及び４０８を備える照明器具を造営材１００から取り外す際に各板バネによって生じる反力の一例を示すグラフである。
【００６１】
図１０に示す変形例１に係る板バネ１０８においても、曲線部１８５の側面形状を示すインボリュート曲線は、本実施の形態に係る板バネ８と同様に上記式１で表される。ただし、変形例１においては、上記式１における定数Ａが６、定数Ｂが１２であり、角度θの始端角θａが０度である。つまり、変形例１に係る板バネ１０８は、本実施の形態に係る板バネ８と、定数Ａの値において相違し、その他のパラメータにおいて一致する。このような板バネ１０８を用いる場合においても、図１１に示すように、ストローク０から１５ｍｍの全域にわたって十分な反力を得られ、かつ、照明器具１を取り外す際に加わる反力は、急峻に増加することなく、最大でも４０Ｎ未満に抑制される。
【００６２】
図１２に示す変形例２に係る板バネ２０８においても、曲線部２８５の側面形状を示すインボリュート曲線は、本実施の形態に係る板バネ８と同様に上記式１で表される。ただし、変形例２においては、上記式１における定数Ａが１２、定数Ｂが１６であり、角度θの始端角θａが０度である。つまり、変形例２に係る板バネ２０８は、本実施の形態に係る板バネ８と、定数Ｂの値において相違し、その他のパラメータにおいて一致する。このような板バネ２０８を用いる場合においても、図１３に示すように、ストローク０から１５ｍｍの全域にわたって十分な反力を得られ、かつ、照明器具１を取り外す際に加わる反力は、急峻に増加することなく、最大でも４０Ｎ未満に抑制される。
【００６３】
図１４に示す変形例３に係る板バネ３０８においても、曲線部３８５の側面形状を示すインボリュート曲線は、本実施の形態に係る板バネ８と同様に上記式１で表される。ただし、変形例３においては、上記式１における定数Ａが１２及び定数Ｂが１２であり、角度θの始端角θａが３０度である。つまり、変形例３に係る板バネ３０８は、本実施の形態に係る板バネ８と、始端角θａの値において相違し、その他のパラメータにおいて一致する。このような板バネ３０８を用いる場合においても、図１５に示すように、ストローク０から１５ｍｍの全域にわたって十分な反力を得られ、かつ、照明器具１を取り外す際に加わる反力は、急峻に増加することなく、最大でも４０Ｎ未満に抑制される。
【００６４】
図１６に示す変形例４に係る板バネ４０８においても、曲線部４８５の側面形状を示すインボリュート曲線は、本実施の形態に係る板バネ８と同様に上記式１で表される。ただし、変形例４においては、上記式１における定数Ａが１２及び定数Ｂが８であり、角度θの始端角θａが０度である。つまり、変形例４に係る板バネ４０８は、本実施の形態に係る板バネ８と、定数Ｂの値において相違し、その他のパラメータにおいて一致する。このような板バネ４０８を用いる場合においても、図１７に示すように、ストローク０から１５ｍｍの全域にわたって十分な反力を得られ、かつ、照明器具１を取り外す際に加わる反力は、急峻に増加することなく、最大でも４０Ｎ程度に抑制される。
【００６５】
以上のように、本実施の形態に係る板バネ８の曲線部８５の側面形状を示すインボリュート曲線は、上記式１で表され、定数Ａが６以上、１２以下、かつ、定数Ｂが８以上、１６以下であってもよい。また、上記式１における角度θの始端角θａは０度以上、３０度以下であってもよい。定数Ａ、定数Ｂ及び始端角θａがそれぞれ上記の範囲内にあれば、照明器具１を造営材１００から取り外す際に、ストロークの全域にわたって十分な反力を得られ、かつ、照明器具１を取り外す際に造営材に過大な反力が加わることを抑制できる。
【００６６】
［４．まとめ］
以上のように、本実施の形態に係る照明器具１は、光源３０と、光源３０を収容する器具本体１０と、器具本体１０の外側壁１５に取り付けられる複数の板バネ８とを備える。複数の板バネ８の各々は、外側壁１５に係止される被係止部８１と、インボリュート曲線状の側面形状を有する曲線部８５と、被係止部８１と曲線部８５とを結ぶ折返部８０とを有する。
【００６７】
これにより、照明器具１を造営材１００から取り外す際に、照明器具１の板バネ８によってストロークの全域にわたって十分な反力を得られ、かつ、照明器具１を取り外す際に造営材１００に過大な反力が加わることを抑制できる。したがって、本実施の形態に係る照明器具１は、板バネ８によって板厚の異なる造営材１００に安定的に固定される。また、照明器具１を造営材１００から取り外す際に、造営材１００を破損することを抑制できる。
【００６８】
また、照明器具１において、曲線部８５の側面形状を示すインボリュート曲線は、角度θを媒介変数として、上記式１で表され、上記式１における定数Ａは６以上、１２以下であり、かつ、定数Ｂは８以上、１６以下であってもよい。
【００６９】
これにより、例えば板厚１０ｍｍ程度の造営材１００に取り付けられた照明器具１を取り外す際に、造営材１００に加わる反力をより確実に抑制できる。
【００７０】
また、照明器具１において、上記式１における角度θの始端角は０度以上、３０度以下であってもよい。
【００７１】
これにより、例えば板厚１０ｍｍ程度の造営材１００に取り付けられた照明器具１を取り外す際に、造営材１００に加わる反力をより確実に抑制できる。
【００７２】
また、本実施の形態に係る板バネ８は、造営材１００に形成された開孔に照明器具１を取り付けるための弾性部材である。板バネ８は、照明器具１に係止される被係止部８１と、インボリュート曲線状の側面形状を有する曲線部８５と、被係止部８１と曲線部８５とを結ぶ折返部８０とを有する。
【００７３】
このような板バネ８を照明器具１が備えることにより、照明器具１を造営材１００から取り外す際に、ストロークの全域にわたって十分な反力を得られ、かつ、照明器具１を取り外す際に造営材１００に過大な反力が加わることを抑制できる。このように、本実施の形態に係る板バネ８は、板厚の異なる造営材１００に対して十分な押圧力を加えられ、かつ、取り外し時に造営材に過大な力が加わることを抑制できる。したがって、本実施の形態に係る板バネ８は、照明器具１を板厚の異なる造営材１００に安定的に固定できる。また、本実施の形態に係る板バネ８によれば、照明器具１を造営材１００から取り外す際に、造営材１００を破損することを抑制できる。
【００７４】
（他の変形例など）
以上、本発明に係る照明器具について、実施の形態に基づいて説明したが、本発明は、上記実施の形態に限定されるものではない。
【００７５】
例えば、上記の実施の形態及び各変形例に係る各板バネの曲線部の側面形状を示すインボリュート曲線は、上記式１で表され、定数Ａは６以上、１２以下、かつ、定数Ｂは８以上、１６以下であったが、定数Ａ及び定数Ｂの値は、これに限定されない。例えば、定数Ａ及び定数Ｂの値は、上記の実施の形態及び各変形例と同様の効果を得られるように定められればよい。また、同様に、上記式１における角度θの始端角θａは３０度より大きくてもよい。
【００７６】
また、上記の実施の形態及び各変形例に係る各板バネにおいては、折返部８０の側面形状は、円弧状の形状などの組み合わせによって構成されたが、折返部８０の構成は、これに限定されない。折返部８０は、被係止部８１と曲線部８５とを結び、１８０度程度折り返す構造を備えればよい。
【００７７】
また、上記の実施の形態及び各変形例に係る各板バネにおいては、被係止部８１の側面形状は、直線状であったが、被係止部８１の側面形状は、これに限定されない。被係止部８１は、係止部１２に係止される任意の形状を有してよい。例えば、被係止部８１の側面形状は曲線状でもよい。
【００７８】
また、上記の実施の形態及び各変形例に係る複数の係止部１２は、挿入孔を有したが、係止部１２の構成はこれに限定されない。係止部１２は、被係止部８１を係止できる任意の構成を有してよい。例えば、係止部１２は、被係止部８１を係止可能な溝状の形状を有してもよい。
【００７９】
また、上記の実施の形態において、光源３０は、青色ＬＥＤチップと黄色蛍光体とによって白色光を放出するように構成したが、これに限定されない。例えば、赤色蛍光体及び緑色蛍光体を含有する蛍光体含有樹脂を用いて、これと青色ＬＥＤチップとを組み合わせることによりに白色光を放出するように構成しても構わない。
【００８０】
また、上記の実施の形態において、ＬＥＤとして、青色ＬＥＤチップを用いたが、これに限定されない。例えば、ＬＥＤとしては、青色以外の色を発光するＬＥＤチップを用いても構わない。この場合、蛍光体としては、ＬＥＤの発光波長に応じて適宜選択すればよい。
【００８１】
また、上記の実施の形態において、光源３０（ＬＥＤ光源）は基台上にＬＥＤチップを直接実装したＣＯＢ構造を有したが、これに限定されない。例えば、ＣＯＢ構造のＬＥＤモジュールに代えて、ＳＭＤ（Ｓｕｒｆａｃｅ  Ｍｏｕｎｔ  Ｄｅｖｉｃｅ）構造のＬＥＤモジュールを用いても構わない。ＳＭＤ構造のＬＥＤモジュールは、樹脂製のパッケージ（容器）の凹部の中にＬＥＤチップ（発光素子）を実装して当該凹部内に封止部材（蛍光体含有樹脂）を封入したパッケージ型のＬＥＤ素子（ＳＭＤ型ＬＥＤ素子）を、１個又は複数個、基板に実装した構成である。
【００８２】
また、上記の各実施の形態では、発光素子としてＬＥＤを例示したが、発光素子としては、半導体レーザ等の半導体発光素子、又は、有機ＥＬ（Ｅｌｅｃｔｒｏ  Ｌｕｍｉｎｅｓｃｅｎｃｅ）素子や無機ＥＬ等のその他の固体発光素子を用いてもよい。
【００８３】
また、上記の実施の形態における照明器具１は、天井以外の造営材に設置されていてもよい。
【００８４】
また、上記実施の形態及びその変形例に係る各板バネの用途は、照明器具に限定されない。板バネは、例えばスピーカなどの造営材に埋め込み配設される任意の器具においても適用可能である。
【００８５】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００８６】
１  照明器具
８、１０８、２０８、３０８、４０８  板バネ
１０  器具本体
１５  外側壁
３０  光源
８０  折返部
８１  被係止部
８５、１８５、２８５、３８５、４８５  曲線部
【図１】
0006735511.tif 000004
【図２】
0006735511.tif 000005
【図３】
0006735511.tif 000006
【図４】
0006735511.tif 000007
【図５】
0006735511.tif 000008
【図６】
0006735511.tif 000009
【図７】
0006735511.tif 000010
【図８】
0006735511.tif 000011
【図９】
0006735511.tif 000012
【図１０】
0006735511.tif 000013
【図１１】
0006735511.tif 000014
【図１２】
0006735511.tif 000015
【図１３】
0006735511.tif 000016
【図１４】
0006735511.tif 000017
【図１５】
0006735511.tif 000018
【図１６】
0006735511.tif 000019
【図１７】
0006735511.tif 000020